(57)【特許請求の範囲】
【請求項１】
情報を記憶するＩＣ回路部と、
このＩＣ回路部に接続されるタグ側アンテナとを有する無線タグ回路素子であって、
前記ＩＣ回路部は、
少なくとも１つの他の無線タグ回路素子との関係において予め定められた所定の条件が満たされ、当該無線タグ回路素子の識別情報が前記他の無線タグ回路素子の識別情報とともにひとつの識別情報群として関連付けられたときの、当該識別情報群又はこれを表す識別子と、
前記所定の条件が満たされるまでの他の無線タグ回路素子との関係における履歴情報と、を記憶保持することを特徴とする無線タグ回路素子。
【請求項２】
請求項１記載の無線タグ回路素子において、
前記ＩＣ回路部は、
前記履歴情報として、当該無線タグ回路素子の識別情報及びこの識別情報が無線タグ情報通信装置で取得されたときに一緒に取得された他の無線タグ回路素子の識別情報の少なくとも一部を記憶保持する
ことを特徴とする無線タグ回路素子。
【請求項３】
請求項１又は２記載の無線タグ回路素子において、
前記ＩＣ回路部は、
前記所定の条件として、当該無線タグ回路素子の識別情報が無線タグ情報通信装置で前記他の無線タグ回路素子の識別情報とともに繰り返し取得された頻度が所定の値に達し、前記ひとつの識別情報群として関連付けられたときの、当該識別情報群又はこれを表す識別子を記憶保持する
ことを特徴とする無線タグ回路素子。
【請求項４】
請求項１乃至３のいずれか１項記載の無線タグ回路素子において、
前記ＩＣ回路部は、
所定の基準に応じて分類されたときの分類区分を表す分類用識別子を記憶保持する
ことを特徴とする無線タグ回路素子。
【請求項５】
情報を記憶するＩＣ回路部及びこのＩＣ回路部に接続されたタグ側アンテナを備えた無線タグ回路素子と無線通信により情報の送受信を行う通信装置側アンテナと、
前記無線タグ回路素子の識別情報を、前記通信装置側アンテナを介した無線通信により取得する情報取得手段と、
この情報取得手段で複数の前記無線タグ回路素子の識別情報を取得したとき、各無線タグ回路素子のＩＣ回路部に、それら複数の無線タグ回路素子の各識別情報の少なくとも一部を書込む情報書込み手段と、
前記情報取得手段で順次取得され前記情報書込み手段で対応する複数の無線タグ回路素子のそれぞれに書込まれた前記識別情報を、予め定められた条件を満たすごとに、自動的にひとつの識別情報群として関連付ける群化処理手段と、
を有し、
前記群化処理手段は、
前記複数の無線タグ回路素子の識別情報を、前記情報取得手段において繰り返し取得されたときの当該頻度情報に応じ、前記ひとつの識別情報群として関連付ける
ことを特徴とする無線タグ情報通信装置。
【請求項６】
請求項５記載の無線タグ情報通信装置において、
前記情報取得手段は、
情報取得対象の前記無線タグ回路素子が前記通信装置側アンテナから所定距離範囲内に到達したら、自動的に当該無線タグ回路素子にアクセスしその前記識別情報を取得する
ことを特徴とする無線タグ情報通信装置。
【請求項７】
請求項５記載の無線タグ情報通信装置において、
前記群化処理手段で関連付けた前記識別情報群又はその識別情報群を表す識別子を、所定の無線タグ回路素子の前記ＩＣ回路部へ書き込む記憶処理手段を有する
ことを特徴とする無線タグ情報通信装置。
【請求項８】
請求項７記載の無線タグ情報通信装置において、
前記記憶処理手段は、
前記識別情報群又は前記識別子を、当該識別情報群に対応する各無線タグ回路素子の前記ＩＣ回路部へ書き込む
ことを特徴とする無線タグ情報通信装置。
【請求項９】
請求項５乃至８のいずれか１項記載の無線タグ情報通信装置において、
前記群化処理手段で関連付けた前記識別情報群又はその識別情報群を表す識別子と前記情報取得手段で取得した複数の無線タグ回路素子の前記識別情報とを照合する照合処理手段を有する
ことを特徴とする無線タグ情報通信装置。
【請求項１０】
請求項９記載の無線タグ情報通信装置において、
前記照合処理手段で照合した結果を報知する報知手段を有する
ことを特徴とする無線タグ情報通信装置。
【請求項１１】
請求項５乃至１０のいずれか１項記載の無線タグ情報通信装置において、
前記無線タグ回路素子の前記ＩＣ回路部に記憶保持された、所定の基準に応じて分類されたときの分類区分を表す分類用識別子を、前記通信装置側アンテナを介した無線通信により取得する分類用識別子取得手段を有する
ことを特徴とする無線タグ情報通信装置。
【請求項１２】
情報を記憶するＩＣ回路部、及びこのＩＣ回路部に接続されるタグ側アンテナをそれぞれ有する複数の無線タグ回路素子と、これら複数の無線タグ回路素子と通信装置側アンテナを介し無線通信により情報の送受信を行う無線タグ情報通信装置とを有する無線タグ情報システムであって、
前記無線タグ情報通信装置は、
前記複数の無線タグ回路素子の識別情報を、前記通信装置側アンテナを介した無線通信により取得する情報取得手段と、
この情報取得手段で前記複数の無線タグ回路素子の識別情報を取得したとき、各無線タグ回路素子のＩＣ回路部に、それら複数の無線タグ回路素子の各識別情報の少なくとも一部を書込む情報書込み手段と、
前記情報取得手段で順次取得され前記情報書込み手段で対応する複数の無線タグ回路素子のそれぞれに書込まれた前記識別情報を、予め定められた条件を満たすごとに、自動的にひとつの識別情報群として関連付ける群化処理手段と、
を有し、
前記群化処理手段は、
前記複数の無線タグ回路素子の識別情報を、前記情報取得手段において繰り返し取得されたときの当該頻度情報に応じ、前記ひとつの識別情報群として関連付ける
ことを特徴とする無線タグ情報システム。
【請求項１３】
請求項１２記載の無線タグ情報システムにおいて、
前記群化処理手段で関連付けた前記識別情報群又はその識別情報群を表す識別子と前記情報取得手段で取得した複数の無線タグ回路素子の前記識別情報とを照合する照合処理手段を有する
ことを特徴とする無線タグ情報システム。
【請求項１４】
請求項１３記載の無線タグ情報システムにおいて、
前記照合処理手段で照合した結果を報知する報知手段を有することを特徴とする無線タグ情報システム。
【発明の詳細な説明】
【技術分野】
【０００１】
本発明は、外部と情報の無線通信が可能な無線タグ回路素子及び無線タグ情報通信装置並びにこれらを有する無線タグ情報システムに関する。
【背景技術】
【０００２】
小型の無線タグとリーダ（読み取り装置）／ライタ（書き込み装置）との間で非接触で情報の読み取り／書き込みを行うＲＦＩＤ（Radio Frequency Identification）システムが知られている。無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用が期待されている。
【０００３】
この無線タグを物品の管理システムに応用した例として、例えば特許文献１に記載のものがある。この従来技術では、使用者の生活環境における主要な物品にそれぞれ無線タグ回路素子を設けておき、それら無線タグ回路素子の識別情報を取得可能な無線タグ情報通信装置を使用者が携帯する。このとき、使用者は、予め無線タグ情報通信装置に対し自分の持ち物の登録を行っておく。また必要に応じ、登録した持ち物の重要度（持ち物における物品の所在を配慮すべきかどうかの度合い）の入力を行う。これにより、使用者の行動予定又は状況に対応して必要な物品のリストが無線タグ情報通信装置内に作成される。そして、使用者の持つ物品を検出し、この物品と上記作成されたリストとを照合する。このようにして使用者の忘れ物（又は紛失物）を検出し、その照合結果を使用者に報知するようになっている。
【特許文献１】特開２００２−１６３３０１号公報
【発明の開示】
【発明が解決しようとする課題】
【０００４】
上記従来技術では、上述したように予め使用者自身が無線タグ情報通信装置に対し自分の持ち物の登録やその持ち物の重要度の入力等を行う必要がある。このため、使用者の負担や労力を要し、利便性の低下を招いていた。
【０００５】
本発明の目的は、物品管理の際の使用者の負担や労力を大きく低減でき、高い利便性を得ることができる無線タグ回路素子及び無線タグ情報通信装置並びにこれらを有する無線タグ情報システムを提供することにある。
【課題を解決するための手段】
【０００６】
上記目的を達成するために、第１の発明は、情報を記憶するＩＣ回路部と、このＩＣ回路部に接続されるタグ側アンテナとを有する無線タグ回路素子であって、前記ＩＣ回路部は、少なくとも１つの他の無線タグ回路素子との関係において予め定められた所定の条件が満たされ、当該無線タグ回路素子の識別情報が前記他の無線タグ回路素子の識別情報とともにひとつの識別情報群として関連付けられたときの、当該識別情報群又はこれを表す識別子を記憶保持することを特徴とする。
【０００７】
本願第１発明においては、無線タグ回路素子の識別情報が無線通信によって例えば無線タグ情報通信装置側で他の無線タグ回路素子の識別情報とともに取得され、他の無線タグ回路素子との関係において所定の条件を満たすようになるとひとつの識別情報群として関連付けられ、その識別情報群（又はこれを表す識別子）がＩＣ回路部に自動的に書き込まれて記憶保持されている。このように複数の無線タグ回路素子の識別情報を関連付けて群化し、その群化された無線タグ回路素子のＩＣ回路部に記憶させ蓄積することにより、この無線タグ回路素子の識別情報が例えば無線タグ情報通信装置側で取得された際、当該取得された識別情報の属する識別情報群に予め対応付けられた操作者側の特定の用途、状況等に対応するものであると類推し、その用途等に適するような表示等の所定の処理を行うことが可能となる。この結果、通信装置側で各無線タグ回路素子のＩＣ回路部からの識別情報取得を行うだけで、対応する識別情報群を利用し先回りして操作者側の用途等に適応した処理を実行できるので、通信装置に対して予め識別情報を登録しておく必要がなくなり、操作者の負担や労力を大きく低減でき、高い利便性を得ることができる。
【０００９】
また、ＩＣ回路部に履歴情報を記憶保持することで、無線タグ情報通信装置側で識別情報を取得する際にその履歴情報を更新する（上書きや付け加え）ようにし、最新の履歴が所定の条件に達したときに他の無線タグ回路素子とともにひとつの識別情報群として関連付けられ、さらにその識別情報群（又はこれを表す識別子）がＩＣ回路部に書き込まれこれを記憶保持することができる。
【００１０】
第２発明は、上記第１発明において、前記ＩＣ回路部は、前記履歴情報として、当該無線タグ回路素子の識別情報及びこの識別情報が無線タグ情報通信装置で取得されたときに一緒に取得された他の無線タグ回路素子の識別情報の少なくとも一部を記憶保持することを特徴とする。
【００１１】
ＩＣ回路部に履歴情報として当該無線タグ回路素子の識別情報及び取得時に一緒に取得された他の無線タグ回路素子の各識別情報のうち互いを識別可能な識別情報部分を含むそれぞれの識別情報の少なくとも一部ずつを記憶保持し、無線タグ情報通信装置側で識別情報を取得する際にその当該無線タグ回路素子及び他の無線タグ回路素子の各識別情報の少なくとも一部ずつからなる履歴情報を更新し、最新の履歴が所定の条件に達したときに他の無線タグ回路素子とともにひとつの識別情報群として関連付けることができる。
【００１２】
第３発明は、上記第１発明又は第２発明において、前記ＩＣ回路部は、前記所定の条件として、当該無線タグ回路素子の識別情報が無線タグ情報通信装置で前記他の無線タグ回路素子の識別情報とともに繰り返し取得された頻度が所定の値に達し、前記ひとつの識別情報群として関連付けられたときの、当該識別情報群又はこれを表す識別子を記憶保持することを特徴とする。
【００１３】
無線タグ回路素子の識別情報が他の無線タグ回路素子の識別情報とともに取得された頻度が所定値に達すると、確率的にそれら識別情報どうしの結びつきが比較的強いと類推される。したがってこの時点でそれらをひとつの識別情報群として関連付けることで、それ以降、無線タグ情報通信装置側で当該無線タグ回路素子の識別情報取得時に、対応する識別情報群に予め対応付けられた操作者側の特定の用途、状況等に対応するものであると類推し、その用途等に適するような表示等の所定の処理を行うことが可能となる。
【００１４】
第４発明は、上記第１乃至第３発明のいずれかにおいて、前記ＩＣ回路部は、所定の基準に応じて分類されたときの分類区分を表す分類用識別子を記憶保持することを特徴とする。
【００１５】
これにより、所定の基準上全く分類区分が異なる複数の無線タグ回路素子の識別情報について、無線タグ情報通信装置側での取得時にそれらを混同処理することなく、当初より区別して処理することが可能となる。
【００１６】
上記目的を達成するために、本願第５発明は、情報を記憶するＩＣ回路部及びこのＩＣ回路部に接続されたタグ側アンテナを備えた無線タグ回路素子と無線通信により情報の送受信を行う通信装置側アンテナと、前記無線タグ回路素子の識別情報を、前記通信装置側アンテナを介した無線通信により取得する情報取得手段と、この情報取得手段で複数の前記無線タグ回路素子の識別情報を取得したとき、各無線タグ回路素子のＩＣ回路部に、それら複数の無線タグ回路素子の識別情報の少なくとも一部を書込む情報書込み手段とを有することを特徴とする。
【００１７】
本願第５発明においては、複数の無線タグ回路素子の識別情報が通信装置側アンテナを介し無線通信によって情報取得手段で取得される。取得された複数の無線タグ回路素子の各識別情報のうち互いを識別可能な識別情報部分を含むそれぞれの識別情報の少なくとも一部ずつは、情報書込み手段によって各無線タグ回路素子のＩＣ回路部にそれぞれ書き込まれて記憶保持される。このように、１つの無線タグ回路素子のＩＣ回路部に、識別情報取得時における他の無線タグ回路素子の識別情報も併せて記憶保持されることにより、例えばその複数の識別情報が所定の条件を満たす場合には、それら複数の識別情報をひとつの識別情報群として関連付け、その識別情報群（又はその識別情報群を表す識別子）を当該ＩＣ回路部へ書き込むことが可能となる。このようにすれば、その後新たに無線タグ回路素子の識別情報を情報取得手段で取得した際、当該識別情報の属する識別情報群に予め対応付けられた操作者側の特定の用途、状況等に対応するものであると類推し、その用途等に適するような表示等の所定の処理を行うことが可能となる。この結果、通信装置側で各無線タグ回路素子のＩＣ回路部からの識別情報取得を行うだけで、対応する識別情報群を利用し先回りして操作者側の用途等に適応した処理を実行することができ、通信装置に対して予め操作者が識別情報を登録する必要がなくなり、操作者の負担や労力を大きく低減でき、高い利便性を得ることができる。
【００２１】
また、１つの無線タグ回路素子のＩＣ回路部に、識別情報取得時における他の無線タグ回路素子の識別情報も併せて記憶保持されており、その複数の識別情報が所定の条件を満たす場合、群化処理手段でそれら複数の識別情報をひとつの識別情報群として関連付ける。これにより、その後新たに無線タグ回路素子の識別情報を情報取得手段で取得した際、当該識別情報の属する識別情報群に予め対応付けられた操作者側の特定の用途、状況等に対応するものであると類推し、その用途等に適するような表示等の所定の処理を行うことが可能となる。
【００２３】
また、複数の無線タグ回路素子の識別情報が情報取得手段において繰り返し取得された頻度が所定値に達すると、確率的にそれら識別情報どうしの結びつきが比較的強いと類推される。したがってこの時点で群化処理手段でそれらをひとつの識別情報群として関連付けることで、それ以降、情報取得手段で当該無線タグ回路素子の識別情報取得時に、対応する識別情報群に予め対応付けられた操作者側の特定の用途、状況等に対応するものであると類推し、その用途等に適するような表示等の所定の処理を行うことが可能となる。
【００２４】
第６発明は、上記第５発明において、前記情報取得手段は、情報取得対象の前記無線タグ回路素子が前記通信装置側アンテナから所定距離範囲内に到達したら、自動的に当該無線タグ回路素子にアクセスしその前記識別情報を取得することを特徴とする。
所定範囲内で識別情報を自動取得させることにより、操作者側による読み取り操作等の必要がなく、操作者の負担や労力をさらに低減することができる。
第７発明は、上記第５発明において、前記群化処理手段で関連付けた前記識別情報群又はその識別情報群を表す識別子を、所定の無線タグ回路素子の前記ＩＣ回路部へ書き込む記憶処理手段を有することを特徴とする。
【００２５】
群化処理手段で複数の識別情報をひとつの識別情報群として関連付け、その識別情報群（又はその識別情報群を表す識別子）を記憶処理手段で無線タグ回路素子のＩＣ回路部へ書き込むことにより、その後新たに無線タグ回路素子の識別情報を情報取得手段で取得した際、当該識別情報の属する識別情報群に予め対応付けられた操作者側の特定の用途、状況等に対応するものであると類推し、その用途等に適するような表示等の所定の処理を行うことが可能となる。
【００２６】
第８発明は、上記第７発明において、前記記憶処理手段は、前記識別情報群又は前記識別子を、当該識別情報群に対応する各無線タグ回路素子の前記ＩＣ回路部へ書き込むことを特徴とする。
【００２７】
群化処理手段で関連付けたその識別情報群（又はその識別情報群を表す識別子）を当該関連付けられた無線タグ回路素子のＩＣ回路部にのみ書き込むことにより、その後当該識別情報群の無線タグ回路素子に対し読み取りを行ったときのみ識別情報群の情報を取得できるので、より対応関係を明確にすることができる。
【００２８】
第９発明は、上記第５発明乃至第８発明のいずれかにおいて、前記群化処理手段で関連付けた前記識別情報群又はその識別情報群を表す識別子と前記情報取得手段で取得した複数の無線タグ回路素子の前記識別情報とを照合する照合処理手段を有することを特徴とする。
【００２９】
照合処理手段で識別情報群（又はその識別情報群を表す識別子）と情報取得手段で取得した複数の無線タグ回路素子の識別情報とを照合することにより、識別情報群（又はその識別情報群を表す識別子）中には存在するが情報取得手段で取得した複数の無線タグ回路素子の識別情報中には存在しない無線タグ回路素子の識別情報を抽出することができる。
【００３０】
第１０発明は、上記第９発明において、前記照合処理手段で照合した結果を報知する報知手段を有することを特徴とする。
【００３１】
これにより、識別情報群（又はその識別情報群を表す識別子）中には存在するが情報取得手段で取得した複数の無線タグ回路素子の識別情報中には存在しない無線タグ回路素子の識別情報（すなわち不足品の識別情報）を報知し、操作者に不足品を知らせることが可能となる。
【００３２】
第１１発明は、上記第５発明乃至第１０発明のいずれかにおいて、前記無線タグ回路素子の前記ＩＣ回路部に記憶保持された、所定の基準に応じて分類されたときの分類区分を表す分類用識別子を、前記通信装置側アンテナを介した無線通信により取得する分類用識別子取得手段を有することを特徴とする。
【００３３】
これにより、所定の基準上全く分類区分が異なる複数の無線タグ回路素子の識別情報について、無線タグ情報通信装置側での取得時にそれらを混同処理することなく、当初より区別して処理することが可能となる。
【００３４】
上記目的を達成するために、本願第１２発明は、情報を記憶するＩＣ回路部、及びこのＩＣ回路部に接続されるタグ側アンテナをそれぞれ有する複数の無線タグ回路素子と、これら複数の無線タグ回路素子と通信装置側アンテナを介し無線通信により情報の送受信を行う無線タグ情報通信装置とを有する無線タグ情報システムであって、前記無線タグ情報通信装置は、前記複数の無線タグ回路素子の識別情報を、前記通信装置側アンテナを介した無線通信により取得する情報取得手段と、この情報取得手段で前記複数の無線タグ回路素子の識別情報を取得したとき、各無線タグ回路素子のＩＣ回路部に、それら複数の無線タグ回路素子の識別情報の少なくとも一部を書込む情報書込み手段と、前記情報取得手段で順次取得され前記情報書込み手段で対応する複数の無線タグ回路素子のそれぞれに書込まれた前記識別情報を、予め定められた条件を満たすごとに、自動的にひとつの識別情報群として関連付ける群化処理手段と、を有し、前記群化処理手段は、前記複数の無線タグ回路素子の識別情報を、前記情報取得手段において繰り返し取得されたときの当該頻度情報に応じ、前記ひとつの識別情報群として関連付けることを特徴とする。
【００３５】
本願第１２発明においては、複数の無線タグ回路素子の識別情報が無線タグ情報通信装置の通信装置側アンテナを介し無線通信によって情報取得手段で取得される。取得された複数の無線タグ回路素子の識別情報は、情報書込み手段によって各無線タグ回路素子のＩＣ回路部にそれぞれ書き込まれて記憶保持される。このように、１つの無線タグ回路素子のＩＣ回路部に、識別情報取得時における他の無線タグ回路素子の識別情報も併せて記憶保持されることにより、例えばその複数の識別情報が所定の条件を満たす場合には、それら複数の識別情報をひとつの識別情報群として関連付け、その識別情報群（又はその識別情報群を表す識別子）を当該ＩＣ回路部へ書き込むことが可能となる。このようにすれば、その後新たに無線タグ回路素子の識別情報を情報取得手段で取得した際、当該識別情報の属する識別情報群に予め対応付けられた操作者側の特定の用途、状況等に対応するものであると類推し、その用途等に適するような表示等の所定の処理を行うことが可能となる。この結果、無線タグ情報通信装置側で各無線タグ回路素子のＩＣ回路部からの識別情報取得を行うだけで、対応する識別情報群を利用し先回りして操作者側の用途等に適応した処理を実行することができ、通信装置に対して予め操作者が識別情報を登録する必要がなくなり、操作者の負担や労力を大きく低減でき、高い利便性を得ることができる。
また、１つの無線タグ回路素子のＩＣ回路部に、識別情報取得時における他の無線タグ回路素子の識別情報も併せて記憶保持されており、その複数の識別情報が所定の条件を満たす場合、群化処理手段でそれら複数の識別情報をひとつの識別情報群として関連付ける。これにより、その後新たに無線タグ回路素子の識別情報を情報取得手段で取得した際、当該識別情報の属する識別情報群に予め対応付けられた操作者側の特定の用途、状況等に対応するものであると類推し、その用途等に適するような表示等の所定の処理を行うことが可能となる。
また、複数の無線タグ回路素子の識別情報が情報取得手段において繰り返し取得された頻度が所定値に達すると、確率的にそれら識別情報どうしの結びつきが比較的強いと類推される。したがってこの時点で群化処理手段でそれらをひとつの識別情報群として関連付けることで、それ以降、情報取得手段で当該無線タグ回路素子の識別情報取得時に、対応する識別情報群に予め対応付けられた操作者側の特定の用途、状況等に対応するものであると類推し、その用途等に適するような表示等の所定の処理を行うことが可能となる。
【００３８】
第１３発明は、上記第１２発明において、前記群化処理手段で関連付けた前記識別情報群又はその識別情報群を表す識別子と前記情報取得手段で取得した複数の無線タグ回路素子の前記識別情報とを照合する照合処理手段を有することを特徴とする。
【００３９】
照合処理手段で識別情報群（又はその識別情報群を表す識別子）と情報取得手段で取得した複数の無線タグ回路素子の識別情報とを照合することにより、識別情報群（又はその識別情報群を表す識別子）中には存在するが情報取得手段で取得した複数の無線タグ回路素子の識別情報中には存在しない無線タグ回路素子の識別情報を抽出することができる。
【００４０】
第１４発明は、上記第１３発明において、前記照合処理手段で照合した結果を報知する報知手段を有することを特徴とする。
【００４１】
これにより、識別情報群（又はその識別情報群を表す識別子）中には存在するが情報取得手段で取得した複数の無線タグ回路素子の識別情報中には存在しない無線タグ回路素子の識別情報（すなわち不足品の識別情報）を報知し、操作者に不足品を知らせることが可能となる。
【発明の効果】
【００４２】
本発明によれば、物品管理の際の使用者の負担や労力を大きく低減でき、高い利便性を得ることができる。
【発明を実施するための最良の形態】
【００４３】
以下、本発明の一実施の形態を図面を参照しつつ説明する。本実施形態は、無線タグ情報システムの一例として、個人の持ち物の携帯忘れや紛失等を検出する持ち物管理システムを家庭に構築した場合の実施形態である。
【００４４】
図１は、本実施形態の持ち物管理システム１００（無線タグ情報システム）を適用した家の玄関構造を概念的に表す図である。
【００４５】
この例では、人物（利用者）１の家の玄関枠２の上部（側部、下部でもよい）にアンテナ１３０（通信装置側アンテナ）が設置されている。そして、利用者１は持ち物をこの例では適宜のバッグ（ハンドバッグ）３の中に入れて携帯しており、これらハンドバッグ３中の持ち物にはそれぞれ無線タグ回路素子Ｔoを有する無線タグＴが関連して取り扱われる（この例では添付。その他、貼付、容器に取付、同梱等でもよい）ように設けられている（後述の図２参照）。本実施形態の持ち物管理システム１００は、これら各持ち物に設けられた無線タグＴの無線タグ回路素子Ｔoとアンテナ１３０を介して無線通信を行い、各無線タグ回路素子Ｔoに記憶された識別情報を読み取ることで、当該無線タグ回路素子Ｔoに係る持ち物が利用者１によって持ち出されたことを検出するようになっている（詳細は後述）。なお、上記無線通信は、例えば、各無線タグ回路素子Ｔoがアンテナ１３０から所定距離範囲内に到達した際に自動的に行われる。
【００４６】
また、玄関枠２の上部（側部、下部でもよい）における上記アンテナ１３０と異なる場所には、スピーカ１１５（報知手段）が設置されている。このスピーカ１１５は、上記アンテナ１３０を介して読み取られた情報を基に後述する制御部１２０により所定の照合処理が行われた際に、その照合処理結果を利用者１に報知するために用いられる（詳細は後述）。
【００４７】
図２は、本実施形態の持ち物管理システム１００の全体構成を表わす概念図である。
【００４８】
この図２において、持ち物管理システム１００は、上記玄関枠２に設けたアンテナ１３０、スピーカ１１５、これらと同様に上記玄関枠２に設けられ、上記アンテナ１３０を介した無線通信及びスピーカ１１５の制御等を行う制御部１２０、及び別の場所３０５に設けられた端末３００を有している。上記ハンドバッグ３の中には、管理対象である複数個の持ち物（この例では５個の持ち物。財布Ａ、定期Ｂ、携帯電話Ｃ、ポーチＤ、社員証Ｅ）が入っており、これら持ち物Ａ〜Ｅにはそれぞれ無線タグ回路素子Ｔoを備えた無線タグＴが前述のように添付等により設けられている。上記制御部１２０は、各持ち物Ａ〜Ｅの無線タグＴに備えられた無線タグ回路素子Ｔoとアンテナ１３０を介して無線通信を行い、無線タグ回路素子ＴoのメインＩＤ（識別情報）を読み取ることで当該無線タグ回路素子Ｔoに係る持ち物が利用者１によって所持されていることを検出するようになっている。また制御部１２０は、各無線タグ回路素子Ｔoに対するその他の無線タグ回路素子Ｔoと併せたメインＩＤの書き込みや、予め定められた所定の条件が満たされた場合には読み取ったメインＩＤの照合処理等を行う（詳細は後述）。なお、上記制御部１２０によるアンテナ１３０を介した無線通信は、この例では、前述したように各無線タグ回路素子Ｔoがアンテナ１３０から所定距離範囲内に到達した場合に自動的に行われるようになっている。
【００４９】
なお、以下適宜持ち物Ａ〜Ｅといったように品名を略して記載するが、Ａ〜ＥはメインＩＤであり、このメインＩＤは財布Ａ、定期Ｂ、携帯電話Ｃ、ポーチＤ、社員証Ｅに設けられている各無線タグ回路素子Ｔoに記憶されている識別情報である。
【００５０】
上記制御部１２０は、適宜の通信ネットワーク（回線、無線等）ＮＷを介し、玄関とは別の場所３０５に設けた端末３００に接続されている。上記別の場所とは、例えば利用者１の部屋等である。この端末３００により、利用者認証用のサブＩＤ（後述）の登録の追加・削除やグループ化情報（後述）の編集等、各種データの編集や設定変更等ができるようになっている。なお、各種データの編集等が不要の場合は端末３００が接続されていなくてもよい。
【００５１】
図３は、上記持ち物管理システム１００に備えられ、持ち物（この例では財布Ａ、定期Ｂ、携帯電話Ｃ、ポーチＤ、社員証Ｅ）に添付された無線タグＴに備えられた無線タグ回路素子Ｔoの機能的構成の一例を表すブロック図である。
【００５２】
図３において、無線タグ回路素子Ｔoは、アンテナ１３０とＵＨＦ帯等の高周波を用いて非接触で信号の送受信を行うアンテナ１５１(タグ側アンテナ)と、このアンテナ１５１に接続されたＩＣ回路部１５０とを有している。
【００５３】
ＩＣ回路部１５０は、アンテナ１５１により受信された搬送波を整流する整流部１５２と、この整流部１５２により整流された搬送波のエネルギを蓄積しＩＣ回路部の駆動電源とするための電源部１５３と、上記アンテナ１５１により受信された搬送波からクロック信号を抽出して制御部（後述）１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４、及び変復調部１５６等を介して上記無線タグ回路素子Ｔoの作動を制御するための制御部１５７とを備えている。
【００５４】
変復調部１５６は、アンテナ１５１により受信された上記商品情報管理装置１００のアンテナ１３０からの通信信号の復調を行うと共に、上記制御部１５７からの返信信号に基づき、アンテナ１３０より受信された搬送波を反射変調する。
【００５５】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００５６】
クロック抽出部１５４は受信した信号からクロック成分を抽出して制御部１５７にクロックを抽出するものであり、受信した信号のクロック成分の速度に対応したクロックを制御部１５７に供給する。
【００５７】
図４は、持ち物管理システム１００に備えられた上記制御部１２０の機能的構成の詳細を表す機能ブロック図である。図４において、制御部１２０は、ＣＰＵ（中央演算装置）１２１と、上記ネットワークＮＷを介した信号授受の制御を行うネットワーク通信制御部１２２と、例えばＲＡＭやＲＯＭからなるメモリ１２３と、アンテナ１３０を介し無線タグＴの無線タグ回路素子Ｔoとの通信制御を行うタグ通信制御部１２４と、上記スピーカ１１５による報知を制御する報知制御部１２５とを備えている。
【００５８】
図５は、上記タグ通信制御部１２４の詳細機能構成を表す機能ブロック図である。
【００５９】
図５において、タグ通信制御部１２４は、上記アンテナ１３０を介し無線タグ回路素子Ｔoに対して信号を送信する送信部２１２と、アンテナ１３０により受信された無線タグ回路素子Ｔoからの反射波を入力する受信部２１３と、送受分離器２１４とから構成される。
【００６０】
送信部２１２は、無線タグ回路素子ＴoのＩＣ回路部１５０の無線タグ情報にアクセスする(読み取り／書き込みを行う)ための搬送波を発生させる搬送波発生部として機能する発振回路２１５と、上記ＣＰＵ１２１から供給される信号に基づいて上記搬送波発生部により発生させられた搬送波を変調（この例ではＣＰＵ１２１からの「ＴＸ＿ＡＳＫ」信号に基づく振幅変調）する送信乗算回路２１６（但し「ＴＸ＿ＡＳＫ信号」の場合は増幅率可変アンプ等を用いてもよい）と、その送信乗算回路２１６により変調された変調波を増幅（この例ではＣＰＵ１２１からの「ＴＸ＿ＰＷＲ」信号によって増幅率を決定される増幅）する増幅率可変送信アンプ２１７とを備えている。そして、上記搬送波発生部により発生される搬送波は、例えば短波帯(13.56MHz等)、ＵＨＦ帯、マイクロ波帯等の高周波を用いており、上記送信アンプ２１７の出力は、送受分離器２１４を介しアンテナ１３０に伝達されて無線タグ回路素子ＴoのＩＣ回路部１５０に供給される。なお、送受される無線タグ情報は上記のように変調した信号に限られず、単なる搬送波のみの場合もある。
【００６１】
受信部２１３は、アンテナ１３０で受信された無線タグ回路素子Ｔoからの反射波と上記発生させられた搬送波とを掛け合わせる受信第１乗算回路２１８と、その受信第１乗算回路２１８の出力から必要な帯域の信号のみを取り出すための第１バンドパスフィルタ２１９と、この第１バンドパスフィルタ２１９の出力を増幅する受信第１アンプ２２１と、この受信第１アンプ２２１の出力をさらに増幅してデジタル信号に変換する第１リミッタ２２０と、上記アンテナ１３０で受信された無線タグ回路素子Ｔoからの反射波と上記発生された後に移相器２２７により位相が９０°遅れた搬送波とを掛け合わせる受信第２乗算回路２２２と、その受信第２乗算回路２２２の出力から必要な帯域の信号のみを取り出すための第２バンドパスフィルタ２２３と、この第２バンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記ＣＰＵ１２１に入力されて処理される。
【００６２】
また、受信第１アンプ２２１及び受信第２アンプ２２５の出力は、強度検出手段としてのＲＳＳＩ（Received  Signal  Strength  Indicator)回路２２６にも入力され、それらの信号の強度を示す信号「ＲＳＳＩ」がＣＰＵ１２１に入力されるようになっている。このように、スキャナ部２００では、この例ではＩ−Ｑ直交復調によって無線タグ回路素子Ｔoからの反射波の復調が行われる。
【００６３】
そして、ＣＰＵ１２１は、上述した高周波回路受信部２１３からの受信信号等を入力した後、所定の演算処理を行い、上述した高周波回路送信部２１２への増幅制御信号及び変調制御信号、ブザー１１５への報知制御信号、その他端末３００への信号等を出力する。
【００６４】
なお、上記ＣＰＵ１２１は、例えば上記ネットワーク通信制御部１２２（又はそれとは別の入出力インターフェイス）を介し、図示しないルートサーバ、他の端末、汎用コンピュータ、及び情報サーバ等との間で情報のやりとりが可能なように構成してもよい。
【００６５】
ここで、持ち物管理システム１００では、前述したように、各持ち物に設けられた無線タグＴの無線タグ回路素子Ｔoとアンテナ１３０を介して無線通信を行い、無線タグ回路素子Ｔoのタグ識別情報を読み取ることで当該無線タグ回路素子Ｔoに係る持ち物が持ち出されたことを検出する。そして、本実施形態の要部は、上記のようにして検出した各持ち物の持ち出し挙動情報を履歴情報として各持ち物の無線タグ回路素子Ｔoに対してそれぞれ書き込み、所定の条件を満たすとひとつの識別情報群として関連づけることによりグループ化情報を作成し、作成したグループ化情報を当該グループ化情報に含まれる無線タグ回路素子Ｔoにそれぞれ書き込み、その書き込んだグループ化情報を用いて照合処理を行うことによって忘れ物（又は紛失物等）を検出することにある。以下、その詳細内容について説明する。
【００６６】
図６は、各持ち物Ａ〜Ｅにそれぞれ設けられた無線タグ回路素子Ｔoの上記ＩＣ回路部１５０（詳細にはメモリ部１５５）に記憶されたデータ内容を概念的に表す図である。
【００６７】
この図６において、無線タグ回路素子Ｔoは、タグ識別情報としてのタグＩＤ（以下「メインＩＤ」）と、持ち主識別情報としての利用者ＩＤ（以下「サブＩＤ」）と、持ち物の持ち出し回数を表す回数フラグ（以下「回数フラグＦ」）と、持ち物の持ち出し挙動情報としての履歴情報１〜３と、識別情報群としてのグループ化情報とを、ＩＣ回路部１５０のメモリ部１５５に記憶保持している。
【００６８】
図７〜図１０は、利用者１による持ち物Ａ〜Ｅの持ち出し挙動の一例を説明するための、無線タグ回路素子Ｔoの上記メモリ部１５５に記憶されたデータ内容を概念的に表す図である。
【００６９】
図７は、利用者１が持ち物Ａ〜Ｅを持ち出していない初期状態（すなわち、利用者１が持ち物Ａ〜Ｅを持って玄関枠２を一回も通過していない状態）における上記メモリ部１５５のデータ内容を表している。この図に示すように、メモリ部１５５には予めメインＩＤ及びサブＩＤが記憶されており、また回数フラグＦとして０が記憶されている。一方、この時点では履歴情報１〜３及びグループ化情報については書き込みが行われていない。なお、ここでは持ち物Ａ（財布）に係るメモリ部１５５のデータ内容のみ図示しているが、他の持ち物Ｂ〜Ｅに係るデータ内容も同様である。
【００７０】
図８は、平日（例えば木曜日）における上記メモリ部１５５のデータ内容を表しており、利用者１が持ち物Ａ〜Ｅ（財布Ａ、定期Ｂ、携帯電話Ｃ、ポーチＤ、社員証Ｅ）の全てを持ち出した状態を表している。すなわち、各持ち物Ａ〜Ｅに係る無線タグ回路素子Ｔoのメモリ部１５５に、全ての持ち物Ａ〜Ｅを持ち出したことを表す履歴情報１（Ａ，Ｂ，Ｃ，Ｄ，Ｅ）がそれぞれ書き込まれる。
【００７１】
図９は、上記図８の翌日（例えば金曜日）における上記メモリ部１５５のデータ内容を表しており、利用者１が持ち物Ｂ（定期Ｂ）を持ち出さなかった状態を表している。すなわち、定期Ｂを除く持ち物Ａ，Ｃ，Ｄ，Ｅに係る無線タグ回路素子Ｔoのメモリ部１５５に、定期Ｂ以外の持ち物Ａ，Ｃ，Ｄ，Ｅを持ち出したことを表す履歴情報２（Ａ，Ｃ，Ｄ，Ｅ）がそれぞれ書き込まれる。なお、上記図８で書き込まれた履歴情報１はそのまま記憶保持されている。
【００７２】
図１０は、図９の翌日（例えば土曜日）における上記メモリ部１５５のデータ内容を表しており、休日であるため利用者１が持ち物Ｅ（社員証Ｅ）を持ち出さなかった状態を表している。すなわち、社員証Ｅを除く持ち物Ａ，Ｂ，Ｃ，Ｄのうち、持ち物Ａ，Ｃ，Ｄに係る無線タグ回路素子Ｔoのメモリ部１５５に、社員証Ｅ以外の持ち物Ａ，Ｂ，Ｃ，Ｄを持ち出したことを表す履歴情報３（Ａ，Ｂ，Ｃ，Ｄ）がそれぞれ書き込まれ、持ち物Ｂに係る無線タグ回路素子Ｔoのメモリ部１５５に、社員証Ｅ以外の持ち物Ａ，Ｂ，Ｃ，Ｄを持ち出したことを表す履歴情報２（Ａ，Ｂ，Ｃ，Ｄ）がそれぞれ書き込まれる。なお、上記図８及び図９で書き込まれた履歴情報１，２はそのまま記憶保持されている。
【００７３】
図１１は、上記図８〜図１０において少なくともいずれか１つの無線タグ回路素子Ｔｏに履歴情報１〜３が全て書き込まれたことによって、上記制御部１２０のＣＰＵ１２１によりグループ化書き込み処理（後述の図１６参照）が行われ、その結果グループ化情報が書き込まれた状態を表している。すなわち、上記図８〜図１０に示した３日間における利用者１の持ち出し頻度が高い持ち物Ａ，Ｃ，Ｄが自動的にグループ化され、当該メインＩＤがグループ化情報（Ａ，Ｃ，Ｄ）としてグループ化された持ち物Ａ，Ｃ，Ｄに係る無線タグ回路素子Ｔoに書き込まれる（詳細は後述）。
【００７４】
図１２は、上記書き込まれたグループ化情報を用いてグループ化照合処理（後述の図１５参照）を行うことにより忘れ物（又は紛失物等）を検出して報知することを説明するための図であり、ここでは上記図１１においてグループ化情報が書き込まれた後に利用者１が持ち物Ａ，Ｂ，Ｄを持ち出した場合を図示している。すなわち、図１１でグループ化され持ち物Ａ，Ｃ，Ｄに係る無線タグ回路素子Ｔoに書き込まれたグループ化情報（Ａ，Ｃ，Ｄ）と、図１２において持ち出した持ち物（Ａ，Ｂ，Ｄ）とを照合し、グループ化情報（Ａ，Ｃ，Ｄ）に含まれる持ち物のうち持ち忘れた持ち物（ここでは携帯電話Ｃ）がある場合、利用者１に対し携帯電話Ｃがない旨がスピーカ１１５を介して報知される（詳細は後述）。
【００７５】
なお、この場合持ち物Ｂに係る無線タグ回路素子Ｔoには履歴情報３（Ａ，Ｂ，Ｄ）が書き込まれ、持ち出し頻度が高い持ち物Ａ，Ｂ，Ｄが自動的にグループ化され、当該無線タグ回路素子Ｔoにグループ化情報（Ａ，Ｂ，Ｄ）が書き込まれる。一方、図１１においてグループ化処理が行われた持ち物Ａ，Ｄに係る無線タグ回路素子Ｔoの履歴情報１〜３についてはクリアされ、新しい履歴情報１（Ａ，Ｂ，Ｄ）が書き込まれる。
【００７６】
なお、以上では説明を簡易とするために利用者１のみによる持ち出し挙動を説明したが、他の利用者がいる場合であっても利用者ごとに（サブＩＤごとに）上記処理が独立して行われる。図１３は、複数の利用者（ここでは３人）がいる場合の各人の各持ち物に係る無線タグ回路素子Ｔoに記憶されたデータ内容の一例を示す図である。ここでは、サブＩＤ＝Ｓ２である利用者の持ち物Ｌに係る無線タグ回路素子Ｔoのメモリ部１５５に持ち物Ｈ，Ｊ，Ｋを持ち出したことを示す履歴情報１（Ｈ，Ｊ，Ｋ）及び持ち物Ｈ，Ｋを持ち出したことを示す履歴情報２（Ｈ，Ｋ）が書き込まれ、サブＩＤ＝Ｓ３である利用者の持ち物Ｍに係る無線タグ回路素子Ｔoのメモリ部１５５に持ち物Ｎ，Ｏ，Ｐを持ち出したことを示す履歴情報１（Ｎ，Ｏ，Ｐ）が書き込まれている。
【００７７】
上記グループ化書き込み処理、及びこの書き込まれたグループ化情報と読み取った利用者１の持ち物に係るタグＩＤとを照合するグループ化照合処理は、上記制御部１２０のＣＰＵ１２１により行われる。以下、このＣＰＵ１２１により行われる制御手順について詳細に説明する。
【００７８】
図１４は、上記制御部１２０のＣＰＵ１２１により行われる制御手順を表すフローチャートである。
【００７９】
まずステップＳ１０において、タグ通信制御部１２４に制御信号を送信し、利用者１が携帯する全持ち物に係る無線タグ回路素子Ｔoのメモリ部１５５からメインＩＤ、サブＩＤ、回数フラグＦ、及び全履歴情報（履歴情報１、２、３、）をそれぞれ読み出し、メモリ１２３に一時的に記憶させる。
【００８０】
具体的には、上記高周波回路送信部２１２及びアンテナ１３０を介し、各持ち物に係る無線タグ回路素子ＴoのＩＣ回路部１５０に記憶されたメインＩＤ、サブＩＤ、及び回数フラグＦを読み取るための信号を送信する。詳細には、例えば、無線タグ回路素子Ｔoに記憶された情報を読み出すための「全記憶内容読み出しコマンド」信号（「無線タグＩＤ識別コマンド」信号で各無線タグ回路素子のIDを取得し、各無線タグ回路素子のIDを指定して全記憶内容読出しコマンドを生成）を生成して上記送信部２１２を介して通信範囲内に存在する無線タグ回路素子Ｔoに送信し、返信を促す。その後、上記「全記憶内容読み出しコマンド」信号等に対応し無線タグ回路素子Ｔoから送信（返信）されたリプライ信号がアンテナ１３０を介し受信され、高周波回路受信部２１３を介し取り込む。このようにして、利用者１の持ち物に係る無線タグ回路素子Ｔoのメモリ部１５５から全情報を読み出し、そのうちのメインＩＤ、サブＩＤ、及び回数フラグＦをメモリに記憶させる。
【００８１】
次のステップＳ２０では、上記ステップＳ１０で読み出したサブＩＤの数（以下、「サブＩＤ数Ｎｓ」と記載）及び各サブＩＤに属するメインＩＤの数（以下、「メインＩＤ数Ｎｓｍ」と記載）を算出する。
【００８２】
次のステップＳ３０では、上記ステップＳ２０で算出したサブＩＤ数Ｎｓが１より大きいかどうかを判定する。サブＩＤ数Ｎｓが１より大きい場合、すなわちサブＩＤが２以上である（持ち主が二人以上である）場合には判定が満たされず、次のステップＳ４０に移る。
【００８３】
ステップＳ４０では、サブＩＤを指定ための識別子ｉを１に初期化する。そして、次のステップＳ５０で上記識別子ｉに対応するサブＩＤ＝Ｓｉ（すなわち最初はサブＩＤ＝Ｓ１となる）を選択する。
【００８４】
次のステップＳ６０では、上記ステップＳ２０で算出したメインＩＤ数Ｎｓｍが１より大きいかどうかを判定する。メインＩＤ数Ｎｓｍが１より大きい場合、すなわち持ち物が複数ある場合には、判定が満たされて次のステップＳ７０に移る。
【００８５】
次のステップＳ７０ではグループ化照合処理（後述の図１５参照）を行い、次のステップＳ８０ではグループ化書き込み処理（後述の図１６参照）を行う。そして、次のステップＳ９０に移る。
【００８６】
なお、先のステップＳ６０において、メインＩＤ数Ｎｓｍが１以下である場合、すなわち持ち物が１つ以下である場合には、グループ化の必要がないため、判定が満たされずに直接次のステップＳ９０に移る。
【００８７】
ステップＳ９０では、先のステップＳ４０で初期化した識別子ｉに１を加えて次のステップ１００に進み、ステップＳ１００では、上記ステップＳ９０で１を加えた識別子ｉがサブＩＤ数Ｎｓより大きいかどうかを判定する。識別子ｉがサブＩＤ数Ｎｓより小さいか等しい場合には、全ての利用者に対し処理がなされていないとみなされ、判定が満たされずに上記ステップＳ５０に戻る。一方、識別子ｉがサブＩＤ数Ｎｓより大きい場合には、全ての利用者に対し処理がなされているとみなされ、判定が満たされて本フローを終了する。
【００８８】
上記ステップＳ５０〜ステップＳ１００を繰り返すことにより、全てのサブＩＤ（すなわち全ての利用者）の持ち物に係る無線タグ回路素子Ｔoについてグループ化照合処理及びグループ化書き込み処理が行われるようになっている。
【００８９】
なお、先のステップＳ３０において、サブＩＤ数Ｎｓが１以下である場合、あるいはサブＩＤが付与されていない場合、すなわち持ち主が一人である場合には判定が満たされ、ステップＳ１１０に移る。そして、ステップＳ１１０ではグループ化照合処理（後述の図１５参照）を行い、次のステップＳ１２０ではグループ化書き込み処理（後述の図１６参照）を行い、その後本フローを終了する。
【００９０】
図１５は上記ステップＳ７０又はステップＳ１１０のグループ化照合処理の詳細手順を表すフローチャートである。
【００９１】
まず、ステップＳ２１０では、上記グループ化情報を有するメインＩＤの数（以下、「グループ化情報を有するメインＩＤ数Ｎｓｍｇ」と記載）を指定するための識別子ｊを１に初期化すると共に、グループ化情報を有するメインＩＤ数ＮｓｍｇをメインＩＤ数Ｎｓｍに初期化する。
【００９２】
次のステップＳ２２０では、上記識別子ｊに対応するメインＩＤ（すなわちｊ＝１の場合にはメインＩＤ＝ＩＤ１となる）を選択する。なお、ここでは図１２のように持ち物Ａ，Ｂ，Ｄが検出された場合、メインＩＤ１〜ＩＤ３はそれぞれ持ち物ＩＤ１＝Ａ，ＩＤ２＝Ｂ，ＩＤ３＝Ｄに対応させている。すなわち、検出したメインＩＤがＡ，Ｂ，Ｄである場合、これを順にメインＩＤ１〜ＩＤ３に対応させて指定する。途中グループ化情報を保持していない等の理由で対象から削除され対象メインＩＤがＡ，Ｄとなった場合は、改めてこれをメインＩＤ１＝Ａ、ＩＤ２＝Ｄに対応させて指定する。ここで、検出したメインＩＤを検出順に並べても良いし、ＩＤが数値等で表されていれば降順、昇順に並び替えてからメインＩＤ１、ＩＤ２、ＩＤ３・・・と対応させても良い。
【００９３】
次のステップＳ２３０では、上記ステップＳ２２０で選択されたメインＩＤに係る無線タグ回路素子Ｔoのメモリ部１５５からグループ化情報を読み出す。具体的には、選択されたメインＩＤに係る無線タグ回路素子Ｔoに対するメモリ読出し信号を上記送信部２１２を介して出力する。詳細には、「ＴＸ＿ＡＳＫ」信号を生成して送信乗算回路２１６に出力し、送信乗算回路２１６で対応する上記振幅変調が行われアクセス情報としての「メモリ読出し」信号となる。一方、「ＴＸ＿ＰＷＲ」信号が生成されて送信アンプ２１７に出力され、送信アンプ２１７でその「ＴＸ＿ＰＷＲ」信号に基づく増幅率で信号増幅が行われ、最終的にアンテナ１３０を介し送信され、読み取り対象である無線タグ回路素子Ｔoからの返信を促す。その後、上記「メモリ読出し」信号に対応して読み取り対象の無線タグ回路素子Ｔoから送信された返答信号（リプライ信号）をアンテナ１３０を介して受信し、受信部２１３を介し取り込む。
【００９４】
次のステップＳ２４０では、上記ステップＳ２３０で読み出したグループ化情報があるかどうか、言い換えればグループ化情報が読み出せたかどうかを判定する。グループ化情報があった（読み出せた）場合には、判定が満たされて次のステップＳ２５０に移る。
【００９５】
ステップＳ２５０では、上記ステップＳ２３０で読み出したグループ化情報とそのグループ化情報を有するメインＩＤとをメモリ１２３に記憶し、次のステップＳ２６０に移る。
【００９６】
なお、上記ステップＳ２４０において、グループ化情報がなかった（読み出せなかった）場合には、判定が満たされずにステップＳ２７０に移り、上記グループ化情報を有するメインＩＤ数Ｎｓｍｇから１を減じて上記次のステップＳ２６０に移る。
【００９７】
ステップＳ２６０では、先のステップＳ２１０で初期化した識別子ｊに１を加えて次のステップＳ２８０に進み、この１を加えた識別子ｊがメインＩＤ数Ｎｓｍより大きいかどうかを判定する。識別子ｊがメインＩＤ数Ｎｓｍ以下である場合には、判定が満たされずに先のステップＳ２２０に戻る。一方、識別子ｊがメインＩＤ数Ｎｓｍより大きい場合には、判定が満たされて次のステップＳ２９０に移る。
【００９８】
上記ステップＳ２２０〜ステップＳ２８０を繰り返すことにより、グループ化情報を有する全タグ（全持ち物）についてそのメインＩＤとグループ化情報が読み出され、メモリ１２３に記憶されるようになっている。
【００９９】
ステップＳ２９０では、上記ステップＳ２２０〜ステップＳ２８０において読み出した全グループ化情報が同一であるかどうかを判定する。同一である場合、判定が満たされて次のステップＳ３００に移る。なお、グループ化情報は基本的には全て同一となるが、例えばあるグループ化情報読み取りタイミングでそのグループ化情報に属するＩＤに係る持ち物が携帯されておらず、古いグループ化情報が記憶保持されたまま次のグループ化情報読み取り時に当該持ち物が携帯されている場合等、同一でない場合も考えられる。この場合、判定が満たされずにステップＳ３１０に移る。
【０１００】
ステップＳ３１０では、上記報知制御部１２５に制御信号を出力し、スピーカ１１５により上記異なるグループ化情報すなわち、最も多いグループ化情報とは異なるグループ化情報を有するメインＩＤに係る物品名を利用者に報知する。そして、当該異なるグループ化情報及びその情報を有するメインＩＤをメモリ１２３から消去し、上記次のステップＳ３００に移る。
【０１０１】
ステップＳ３００では、上記グループ化情報を有するメインＩＤを指定するための識別子ｊを再び１に初期化する。
【０１０２】
次のステップＳ３２０では、上記識別子ｊに対応するメインＩＤ（すなわちｊ＝１の場合にはメインＩＤ＝ＩＤ１となる）を選択する。
【０１０３】
次のステップＳ３３０では、メモリ１２３に記憶されたメインＩＤ及びグループ化情報のうち、上記ステップＳ３２０で選択されているメインＩＤを消去する。
【０１０４】
次のステップＳ３４０では、先のステップＳ３００で初期化した識別子ｊに１を加えて次のステップＳ３５０に進み、この１を加えた識別子ｊが上記グループ化情報を有するメインＩＤ数Ｎｓｍｇより大きいかどうかを判定する。識別子ｊがＮｓｍｇ以下である場合には、判定が満たされずに先のステップＳ３２０に戻る。一方、識別子ｊがＮｓｍｇより大きい場合には、判定が満たされて次のステップＳ３６０に移る。
【０１０５】
上記ステップＳ３２０〜ステップＳ３５０を繰り返すことにより、グループ化情報に含まれるタグＩＤと持ち出しされている持ち物に係るタグＩＤとが順次照合され、グループ化情報に含まれるタグＩＤ中持ち出しされていない持ち物に係るタグＩＤのみがメモリ１２３に残るようになっている。
【０１０６】
次のステップＳ３６０では、上記ステップＳ３２０〜ステップＳ３５０の処理を行った結果、グループ化情報が残っているかどうかを判定する。グループ化情報が残っている場合には利用者１の持ち物に欠品があると見なされ、判定が満たされて次のステップＳ３７０に移る。一方、グループ化情報が残っていない場合には利用者１の持ち物に欠品がないと見なされ、判定が満たされずに本フローを終了する。
【０１０７】
ステップＳ３７０では、上記報知制御部１２５に制御信号を出力し、スピーカ１１５により上記グループ化情報に残ったメインＩＤに係る物品名を利用者に報知する。そして、本フローを終了する。
【０１０８】
なお、以上では説明しなかったが、上記ステップＳ２４０においてグループ化情報がないと判定された場合に、当該グループ化情報がなかったメインＩＤに係る持ち物について、対象外のタグ（持ち物）として上記スピーカ１１５を用いて報知するようにしてもよい。
【０１０９】
図１６は前述した図１４のステップＳ８０又はステップＳ１２０のグループ化書き込み処理の詳細手順を表すフローチャートである。
【０１１０】
まず、ステップＳ４１０では、無線タグ回路素子Ｔoのメモリ部１５５に全ての履歴情報（本実施形態では３つ）が書き込まれたかどうかを示すフラグＦｇを、全ての履歴情報が書き込まれていないことを示す０に初期化する。
【０１１１】
次のステップＳ４２０では、上記メインＩＤを指定するための識別子ｊを１に初期化する。
【０１１２】
次のステップＳ４３０では、上記識別子ｊに対応するメインＩＤ（すなわちｊ＝１の場合にはメインＩＤ＝ＩＤ１となる）を選択する。なお、ここでは図１１のようにメインＩＤとして、Ａ，Ｂ，Ｃ，Ｄの４つの持ち物が検出された場合、メインＩＤ数はＮｓｍ＝４となり、メインＩＤ＝ＩＤ１〜ＩＤ４はそれぞれＩＤ１＝Ａ，ＩＤ２＝Ｂ，ＩＤ３＝Ｃ，ＩＤ４＝Ｄに対応させる。
【０１１３】
次のステップＳ４４０では、メインＩＤがＩＤｊである無線タグ回路素子のＦに書き込まれた履歴情報を示す値Ｆｊ（すなわちＦｊ＝１の場合には履歴情報１となる）がＦｍａｘ（本実施形態ではＦｍａｘ＝３）となったかどうか、すなわち以前に上記無線タグ回路素子Ｔoのメモリ部１５５に履歴情報１〜３が全て書き込まれたかどうかを判定する。なお、本実施形態ではＦｍａｘ＝３に設定しているが、これに限らず２に設定してもよいし、３よりも大きな数値に設定してもよい。Ｆｊ＝３である場合には判定が満たされて、次のステップＳ４５０に移る。
【０１１４】
ステップＳ４５０では、上記Ｆｊを１にリセットし、次のステップＳ４６０に移る。一方、上記Ｓ４４０で判定が満たされない場合は、ステップＳ４５５で値Ｆｊに１を加える。このように更新されたＦの値であるＦｊがＦｍａｘとなったかどうか、すなわち上記無線タグ回路素子Ｔoのメモリ部１５５に履歴情報１〜３が全て書き込まれるかどうかを判定する。判定が満たされれば、上記フラグＦｇを全ての履歴情報が書き込まれることを示す１とする。
【０１１５】
ステップＳ４６０では、上記ステップＳ４３０で選択されているメインＩＤに係る無線タグ回路素子Ｔoのメモリ部１５５の中の、回数フラグＦに上記Ｆｊの値を書込むと同時に、履歴情報として、このときに利用者１により持ち出された持ち物に係るメインＩＤをＦｊで指定される履歴情報位置すなわち、Ｆｊ＝１なら履歴情報１に、Ｆｊ＝３なら履歴情報３に全て書き込む（前述した図８〜図１０参照）。具体的には、上記送信部２１２を介し無線タグ回路素子Ｔoのメモリ部１５５へのアクセス情報を生成し、アンテナ１３０を介して当該無線タグ回路素子Ｔoへ送信し、メモリ部１５５に対して履歴情報の書き込みを行う。これにより、当該履歴情報が無線タグ回路素子Ｔoのメモリ部１５５に記憶保持される。
【０１１６】
次のステップＳ４７０では、上記ステップＳ４６０で無線タグ回路素子Ｔoに書き込んだ履歴情報をメモリ１２３に書き込む。このとき、無線タグ回路素子Ｔｏのメモリ部１５５に書込むのと同様に、無線タグ回路素子Ｔｏのメモリ部１５５より読み出して既に書込まれたメモリ１２３に利用者１により持ち出された持ち物に係るメインＩＤをＦｊで指定される履歴情報位置すなわち、Ｆｊ＝１なら履歴情報１に、Ｆｊ＝３なら履歴情報３に全て書き込む。
【０１１７】
次のステップＳ４８０では、先のステップＳ４２０で初期化した識別子ｊに１を加えて次のステップＳ４９０に進み、この１を加えた識別子ｊがメインＩＤ数Ｎｓｍより大きいかどうかを判定する。識別子ｊがメインＩＤ数Ｎｓｍ以下である場合には、判定が満たされずに先のステップＳ４３０に戻る。一方、識別子ｊがメインＩＤ数Ｎｓｍより大きい場合には、判定が満たされて次のステップＳ５００に移る。
【０１１８】
上記ステップＳ４３０〜ステップＳ４９０を繰り返すことにより、持ち出された持ち物に係る全ての無線タグ回路素子Ｔoに対し、当該持ち出された持ち物に係る全てのメインＩＤがそれぞれ履歴情報として書き込みされるようになっている。
【０１１９】
ステップＳ５１０では、上記フラグＦｇが全ての履歴情報が新たに書き込まれた無線タグ回路素子Ｔoがあることを示す１であるかどうかを判定する。Ｆｇ≠１である場合にはいずれの無線タグ回路素子Ｔoも履歴情報１〜３が全て書き込まれていないあるいは、一旦書込まれた後、再度履歴情報１〜３が全て新たに書き込まれていないと見なされ、判定が満たされずにこのフローを終了する。Ｆｇ＝１である場合には少なくともいずれか一つの無線タグ回路素子Ｔoは履歴情報１〜３の全てが新たに書き込まれていると見なされ、判定が満たされて次のステップＳ５２０に移る。
【０１２０】
ステップＳ５２０では、後述するメインＩＤ個数ＮＩＤｋの累積値（以下、「メインＩＤ累積値ＮＩＤｓｕｍｋ」と記載）を０、及びタグのトータル数（以下、「タグトータル数ＮＩＤｔｏｔ」と記載）を上記メインＩＤ数Ｎｓｍに初期化すると共に、メモリ１２３上（又は上記制御部１２０の適宜の部分）にあるグループ化情報を書込むための書き込みバッファ（図示せず）をクリアする。
【０１２１】
次のステップＳ５３０では、先のステップＳ４７０でメモリ１２３に記憶した履歴情報を全て読み出す。
【０１２２】
次のステップＳ５４０では、上記ステップＳ５３０で読み出した履歴情報から、各メインＩＤごとに、履歴情報中に含まれるメインＩＤの種類の数（以下、「メインＩＤ種類Ｎｍ」と記載）及び履歴情報中のメインＩＤの個数（以下、「メインＩＤ個数ＮＩＤｋ」と記載）を算出する。図１１の例では、各メインＩＤに対し、その履歴情報にはＡ，Ｂ，Ｃ，Ｄ，Ｅの５つが含まれるのでＮｍ＝５となる。履歴情報中のメインＩＤの個数は、例えば、メインＩＤがＡの無線タグ回路素子Ｔoの履歴情報にはＡが３、Ｂが２、Ｃが３、Ｄが３、Ｅが２含まれるので、ｋ＝１，２，３，４，５にそれぞれＡ，Ｂ，Ｃ，Ｄ，Ｅを対応させ、ＮＩＤ１＝３（Ａの個数）、ＮＩＤ２＝２（Ｂの個数）、ＮＩＤ３＝３（Ｃの個数）、ＮＩＤ４＝３（Ｄの個数）、ＮＩＤ５＝２（Ｅの個数）となる。
【０１２３】
次のステップＳ５５０では、上記メインＩＤを指定するための識別子ｊを１に初期化する。
【０１２４】
次のステップＳ５６０では、上記識別子ｊに対応するメインＩＤ（すなわちｊ＝１の場合にはメインＩＤ＝ＩＤ１となる）を選択する。
【０１２５】
次のステップＳ５７０では、上記各メインＩＤごとに、履歴情報に含まれるメインＩＤの個数すなわちメインＩＤ個数ＮＩＤｋを指定するための識別子ｋを１に初期化する。
【０１２６】
ステップＳ５８０では、無線タグ回路素子Ｔoのメモリ部１５５に履歴情報１〜３が全て書き込まれているかどうかを判定する。全て書き込まれている場合には、判定が満たされて次のステップＳ５９０に移る。
【０１２７】
ステップＳ５９０では、先のステップＳ５４０で算出した上記メインＩＤ個数ＮＩＤｋが０．９×Ｆｍａｘより大きいかどうかを判定する。本実施形態では前述したようにＦｍａｘ＝３であるので、メインＩＤ個数ＮＩＤｋが２．７より大きいかどうかを判定する。なお、本実施形態ではＦｍａｘに乗ずる定数を０．９としたが、これに限らず、Ｆｍａｘの値に応じて他の適宜な値に設定してもよい。メインＩＤ個数ＮＩＤｋが２．７より大きい場合（ここではメインＩＤ個数ＮＩＤｋが３である場合。すなわち、メインＩＤが履歴情報１〜３の全てに記載されている場合を指す）には、判定が満たされて次のステップＳ６００に移る。
【０１２８】
ステップＳ６００では、上記メインＩＤ個数ＮＩＤｋを１として次のステップＳ６１０に移る。
【０１２９】
なお、先のステップＳ５８０において、履歴情報１〜３が全て書き込まれていない場合には、判定が満たされずにステップＳ６２０に移り、上記メインＩＤ個数ＮＩＤｋを０として次のステップＳ６３０に移り、上記タグトータル数ＮＩＤｔｏｔから１を減じて上記次のステップＳ６１０に移る。すなわち、グループ化の対象外とする。このため、グループ化の対象となる無線タグ回路素子Ｔoすなわち持ち物のトータル数であるＮＩＤｔｏｔから１だけ減算し、記メインＩＤ個数ＮＩＤｋも０とすることで、グループ化の判定に寄与しないようにしている。
【０１３０】
また、先のステップＳ５９０において、メインＩＤ個数ＮＩＤｋが２．７以下である場合には、判定が満たされずにステップＳ６４０に移り、上記メインＩＤ個数ＮＩＤｋを０として上記次のステップＳ６１０に移る。
【０１３１】
ステップＳ６１０では、上記メインＩＤ累積値ＮＩＤｓｕｍｋに上記メインＩＤ個数ＮＩＤｋを加え、次のステップＳ６５０に移る。
【０１３２】
ステップＳ６５０では、上記識別子ｋに１を加えて次のステップＳ６６０に移る。
【０１３３】
ステップＳ６６０では、上記１を加えた識別子ｋが上記メインＩＤ種類Ｎｍより大きいかどうかを判定する。識別子ｋがメインＩＤ種類Ｎｍ以下である場合には、判定が満たされずに先のステップＳ５８０に戻る。一方、識別子ｋがメインＩＤ種類Ｎｍより大きい場合には、判定が満たされて次のステップＳ６７０に移る。
【０１３４】
上記ステップＳ５８０〜ステップＳ６６０を繰り返すことにより、先のステップＳ５６０で選択された１つのメインＩＤにおいて、履歴情報中に含まれる全てのメインＩＤの種類について１か０に二値化されたメインＩＤ個数ＮＩＤｋを累積して上記メインＩＤ累積値ＮＩＤｓｕｍｋを算出するようになっている。
【０１３５】
次のステップＳ６７０では、上記識別子ｊに１を加えて次のステップＳ６５０に移る。
【０１３６】
ステップＳ６８０では、上記１を加えた識別子ｊが上記メインＩＤ数Ｎｓｍより大きいかどうかを判定する。識別子ｊがメインＩＤ数Ｎｓｍ以下である場合には、判定が満たされずに先のステップＳ５６０に戻る。一方、識別子ｊがメインＩＤ数Ｎｓｍより大きい場合には、判定が満たされて次のステップＳ６９０に移る。
【０１３７】
上記ステップＳ５６０〜ステップＳ６８０を繰り返すことにより、持ち出しされている全ての持ち物に係るメインＩＤについて、上記したメインＩＤ個数ＮＩＤｋを２値化し、累積して上記メインＩＤ累積値ＮＩＤｓｕｍｋを算出するようになっている。
【０１３８】
次のステップＳ６９０では、上記履歴情報中のメインＩＤを指定するための識別子ｋを再度１に初期化する。
【０１３９】
次のステップＳ７００では、上記ステップＳ５６０〜ステップＳ６８０を繰り返すことにより算出したメインＩＤ累積値ＮＩＤｓｕｍｋがタグトータル数ＮＩＤｔｏｔと等しいかどうかを判定する。等しい場合には、判定が満たされて次のステップＳ７１０に移る。すなわち、全てのグループ化対象の無線タグ回路素子Ｔoにおいて、ｋで指定されるメインＩＤが履歴情報に所定回以上（この例では３回）書込まれていることを示している。
【０１４０】
ステップＳ７１０では、上記メインＩＤ個数ＮＩＤｋを１とし、次のステップＳ７２０に移る。ここで、ＮＩＤｋが１であれば、ｋで指定されるメインＩＤがグループ化されることを示す。
【０１４１】
ステップＳ７２０では、上記ステップＳ７１０で１としたメインＩＤＩＤｋを上記書き込みバッファ（図示せず）に書き込む。そして、次のステップＳ７３０に移る。
【０１４２】
なお、上記ステップＳ７００においてメインＩＤ累積値ＮＩＤｓｕｍｋとタグトータル数ＮＩＤｔｏｔとが等しくない場合には、判定が満たされずにステップＳ７４０に移り、上記メインＩＤ個数ＮＩＤｋを０とし、上記次のステップＳ７３０に移る。すなわち、全てのグループ化対象の無線タグ回路素子Ｔoにおいて、ｋで指定されるメインＩＤが履歴情報に所定回以上（この例では３回）書込まれてない無線タグ回路素子Ｔoがあり、このｋで指定されるメインＩＤはグループ化しないことを示している。
【０１４３】
ステップＳ７３０では、上記識別子ｋに１を加えて次のステップＳ７５０に移る。
【０１４４】
ステップＳ７５０では、上記１を加えた識別子ｋが上記メインＩＤ種類Ｎｍより大きいかどうかを判定する。識別子ｋがメインＩＤ種類Ｎｍ以下である場合には、判定が満たされずに先のステップＳ７００に戻る。一方、識別子ｋがメインＩＤ種類Ｎｍより大きい場合には、判定が満たされて次のステップＳ７６０に移る。
【０１４５】
上記ステップＳ７００〜ステップＳ７５０を繰り返すことにより、履歴情報中に含まれる全てのメインＩＤの種類について、メインＩＤ累積値ＮＩＤｓｕｍｋとタグトータル数ＮＩＤｔｏｔとが等しくなるメインＩＤを１つずつ抽出して順次書き込みバッファに書き込み、グループ化情報が生成されるようになっている。
【０１４６】
次のステップＳ７６０では、上記メインＩＤを指定するための識別子ｊ（以下同様）を１に初期化する。
【０１４７】
次のステップＳ７７０では、上記識別子ｊに対応するメインＩＤ（すなわちｊ＝１の場合にはメインＩＤ＝ＩＤ１となる）を選択する。
【０１４８】
次のステップＳ７８０では、上記メインＩＤ個数ＮＩＤｊ＝１であるかどうかを判定する。メインＩＤ個数ＮＩＤｊ＝１である場合には、グループ化を行うことを示し、判定が満たされて次にステップＳ７９０に移る。
【０１４９】
ステップＳ７９０では、上記ステップＳ７００〜ステップＳ７５０を繰り返すことにより書き込みバッファ上に生成されたグループ化情報を、上記ステップＳ７７０で選択されたグループ化を行うメインＩＤに係る無線タグ回路素子Ｔoのメモリ部１５５に対し書き込む。具体的な書き込み方は先のステップＳ４６０と同様である。そして、次のステップＳ８００に移る。
【０１５０】
なお、上記ステップＳ７８０においてメインＩＤ個数ＮＩＤｊ≠１である場合すなわち０である場合には、グループ化しないことを示し、判定が満たされずに直接上記次のステップＳ８００に移る。
【０１５１】
ステップＳ８００では、上記識別子ｊに１を加えて次のステップＳ８１０に移る。
【０１５２】
ステップＳ８１０では、上記１を加えた識別子ｊが上記メインＩＤ数Ｎｓｍより大きいかどうかを判定する。識別子ｊがメインＩＤ数Ｎｓｍ以下である場合には、判定が満たされずに先のステップＳ７７０に戻る。一方、識別子ｊがメインＩＤ数Ｎｓｍより大きい場合には、判定が満たされて本フローを終了する。
【０１５３】
上記ステップＳ７７０〜ステップＳ８１０を繰り返すことにより、上記履歴情報中に含まれる全メインＩＤについて、上記グループ化情報を当該メインＩＤに係る無線タグ回路素子Ｔoのメモリ部１５５に対し書き込むようになっている。
【０１５４】
以上において、ＣＰＵ１２１は、特許請求の範囲各項記載の複数の識別情報を予め定められた条件を満たすごとに自動的にひとつの識別情報群として関連付ける群化処理手段を構成すると共に、識別情報群又はその識別情報群を表す識別子と情報取得手段で取得した複数の無線タグ回路素子の識別情報とを照合する照合処理手段を構成し、このＣＰＵ１２１とタグ通信制御部１２４とが、無線タグ回路素子の識別情報を通信装置側アンテナを介した無線通信により取得する情報取得手段、及び無線タグ回路素子のＩＣ回路部に複数の無線タグ回路素子の識別情報を書込む情報書込み手段を構成すると共に、所定の無線タグ回路素子のＩＣ回路部へ書き込む記憶処理手段を構成し、これらＣＰＵ１２１及びタグ通信制御部１２４とアンテナ１３０とが、無線タグ情報通信装置を構成する。また、サブＩＤは請求項５記載の所定の基準に応じて分類されたときの分類区分を表す分類用識別子に相当する。
【０１５５】
以上のように構成した本実施形態においては、例えば利用者１が前述した図８〜図１０のような持ち物の持ち出し挙動をした場合、制御部１２０のＣＰＵ１２１によりグループ化書き込み処理（図１６参照）が行われ、３日間毎日持ち出された持ち物である財布Ａ、携帯電話Ｃ、ポーチＤに係る無線タグ回路素子ＴoのメインＩＤがグループ化情報としてそれら持ち物Ａ，Ｃ，Ｄに係る無線タグ回路素子Ｔoのメモリ部１５５に書き込まれる。この場合、この例では利用者１の平日と休日に共通する持ち出し物品、すなわち利用者１が出勤するか否かに関らず通常外出する際に必需品と考えられる持ち物が自動的に抽出され、グループ化が行われる。
【０１５６】
これにより、その後利用者１が持ち物を持ち出す際には、制御部１２０のＣＰＵ１２１により、上記持ち物Ａ，Ｃ，Ｄに係る無線タグ回路素子Ｔoに書き込まれたグループ化情報と、そのとき利用者１が持ち出す持ち物に係る無線タグ回路素子ＴoのメインＩＤとの照合処理（図１５参照）がなされ、持ち物Ａ，Ｃ，Ｄのうち少なくともいずれかを利用者１が携帯していなかった場合には、スピーカ１１５によりその持ち物が報知される。すなわち、忘れ物（又は紛失物）が利用者１に対して報知される。
【０１５７】
このように、本実施形態においては、所定の条件が満たされた場合に複数の無線タグ回路素子ＴoのメインＩＤを関連付けて群化し、その群化されたグループ化情報を無線タグ回路素子ＴoのＩＣ回路部１５０のメモリ部１５５に記憶させ蓄積することにより、この無線タグ回路素子ＴoのメインＩＤがアンテナ１３０を介して取得された際、当該取得されたメインＩＤの属するグループ化情報に予め対応付けられた利用者１側の特定の用途、状況等（本実施形態では通常の外出時における必需品であるという用途）に対応するものであると類推し、その用途等に適するような表示等の所定の処理（本実施形態では忘れ物の報知）を行う。すなわち、アンテナ１３０を介して各持ち物に係る無線タグ回路素子ＴoのＩＣ回路部１５０からのメインＩＤ及びメモリに書込まれた情報の取得を行うだけで、対応するグループ化情報を利用し先回りして利用者１側の用途等に適応した処理（上記忘れ物の報知）を実行できるので、利用者１の負担や労力を大きく低減でき、高い利便性を得ることができる。
【０１５８】
また、本実施形態では特に、グループ化処理を行うまでの履歴情報１〜３をそれぞれ各持ち物に係る無線タグ回路素子Ｔoのメモリ部１５５にそれぞれ記憶保持させる。これにより、例えば本実施形態のように、それら履歴情報に含まれるメインＩＤの頻度を所定のしきい値（本実施形態では０．９Ｆｍａｘ）を境に二値化し、その値の累積値が所定の値となる場合にグループ化情報に含めるといったように、その履歴情報を用いてグループ化の条件を細かく設定することができる。
【０１５９】
また、本実施形態では特に、持ち物に係る無線タグ回路素子ＴoのメインＩＤが他の持ち物に係る無線タグ回路素子ＴoのメインＩＤとともに繰り返し取得された頻度（言い換えれば持ち物が持ち出された頻度）が所定の値（本実施形態では３回）に達したことをグループ化処理を行う条件とする。これにより、確率的にそれら持ち物同士の結びつきが比較的強いと類推されるものについて、関連付けてグループ化することができる。
【０１６０】
また、本実施形態では特に、持ち主識別情報としてのサブＩＤを無線タグ回路素子Ｔoのメモリ部１５５に記憶保持させる。これにより、複数の利用者の持ち物に係る無線タグ回路素子ＴoのメインＩＤについて、それらを混同処理することなく区別して処理することができる。
【０１６１】
また、本実施形態では特に、上記制御部１２０によるアンテナ１３０を介した無線通信は、各無線タグ回路素子Ｔoがアンテナ１３０から所定距離範囲内に到達した場合に自動的に行われる。このように所定範囲内となった場合にメインＩＤを自動取得させることにより、利用者１側による読み取り操作等の必要がなく、利用者１の負担や労力をさらに低減することができる。また、利用者１に近接した持ち物のみ対象とすることから、出かけるときの持ち物に限定するような利用者１側の用途等に適応した処理（上記忘れ物の報知）を確実に実行できる
【０１６２】
なお、本発明は、上記実施形態に限られるものではなく、その趣旨及び技術思想を逸脱しない範囲で種々の変形が可能である。以下、そのような変形例を順を追って説明する。
【０１６３】
（１）本人認証を行う場合
上記実施形態では、各持ち物に設けた無線タグ回路素子Ｔoのメモリ部１５５に予めサブＩＤを登録するようにしておき、このサブＩＤについては書き込みを行っていないが、これに限られず、例えば持ち物管理システムに本人認証機能を設け、認証したサブＩＤを書き込むようにしてもよい。
【０１６４】
図１７は本変形例における持ち物管理システム（無線タグ情報システム）１００′を適用した家の玄関構造を概念的に表す図であり、図１８は本変形例の持ち物管理システム１００′の全体構成を表わす概念図である。
【０１６５】
これら図１７及び図１８に示すように、本変形例では玄関枠２の側部にリーダ１１０が設置されている。このリーダ１１０は、利用者１が携帯している利用者認証用のＩＣカード４を読み取るためのものであり、このリーダ１１０を介して上記ＩＣカード４に書き込まれた利用者ＩＤ（サブＩＤ）が読み取られるようになっている。
【０１６６】
図１９は本変形例の持ち物管理システム１００′に備えられた制御部１２０′の機能的構成の詳細を表す機能ブロック図である。この図１９に示すように、制御部１２０′は、前述した制御部１２０の構成の他、さらに上記リーダ１１０を介しＩＣカード４との通信制御を行う本人認証通信制御部１２６を備えている。
【０１６７】
制御部１２０′のＣＰＵ１２１は、本人認証通信制御部１２６に制御信号を出力することにより、リーダ１１０を介してＩＣカード４のサブＩＤを取得する。なお、例えばＩＣカードには所定のカードＩＤのみが記憶されており、そのカードＩＤとメモリ１２３等に予め記憶された利用者認証データ（上記カードＩＤとサブＩＤとを対応させたデータ）とを照合することにより、サブＩＤを取得するようにしてもよい。
【０１６８】
そして本変形例においては、特にフローチャートを用いて説明はしないが、グループ化書き込み処理において各無線タグ回路素子Ｔoのメモリ部１５５に履歴情報が書き込まれる際に、上記取得したサブＩＤの書き込みも同様に行われる。すなわち、同一のメインＩＤである無線タグ回路素子Ｔoに異なるサブＩＤが書き込まれ、回数フラグＦ、履歴情報、及びグループ化情報についてはそのサブＩＤごとに別々に書き込まれる。そして、グループ化照合処理においては、その際に取得されたサブＩＤに係るグループ化情報について、照合処理が行われるようになっている。
【０１６９】
以上のように構成した本変形例によれば、同じ持ち物に係る無線タグ回路素子Ｔoに対しサブＩＤ（利用者）ごとにグループ化情報が作成、記録されるため、例えば利用者１の持ち物を借りた他人が当該持ち物を持ち出すような場合であっても、利用者１のグループ化情報に何ら影響を与えることがない。したがって、持ち物の貸し借りに関らず、各利用者ごとの持ち物の管理を行うことができる。また、各無線タグ回路素子Ｔoに対し予めサブＩＤを記憶させる手間を省くことができる。
【０１７０】
なお、本変形例ではリーダ１１０にＩＣカード４を通すことによりサブＩＤが取得されるようにしたが、これに限らず、例えば上記アンテナ１１０と同様なアンテナを設けておき、利用者が携帯する利用者認証用無線タグ回路素子Ｔoとの無線通信によりサブＩＤを取得するようにしてもよい。また例えばバーコードを読み取ることにより利用者認証するようにしてもよい。
【０１７１】
（２）アンテナ等の設置位置
上記実施形態では、アンテナ１１０，１３０を玄関枠４に取り付け、利用者１の持ち物に設けた無線タグ回路素子Ｔoと無線通信を行うようにしたが、これに限られず、例えば図２０に示すように玄関ドア５にアンテナ１１０，１３０を設けるようにしてもよいし、一方のアンテナを玄関枠４に、他方を玄関ドア５に設けてもよい。また玄関に限らず、利用者１の部屋の出入口や家の敷地の出入口（例えば門等）に設けるようにしてもよい。
【０１７２】
また、上記実施形態では、制御部１２０を玄関枠４に設けるようにしたが、これに限られず、例えば利用者１の部屋等である別の場所３０５に端末３００と共に設けるようにしてもよいし、家内におけるその他の場所に設置してもよい。これにより、制御部１２０を玄関の開閉による振動等から保護することができる。
【０１７３】
（３）報知手段のバリエーション
上記実施形態では、制御部１２０による照合処理結果をスピーカ１１５を介して利用者１に知らせるようにしたが、これに限られない。すなわち、例えばディスプレイ等の表示手段を用い、忘れ物（又は紛失物）を視覚的に報知するようにしてもよい。また、ブザーを用いてもよい。この場合、例えばブザーの回数により各持ち物のメインＩＤを識別するようにすれば足りる。
【０１７４】
また、スピーカ１１５とディスプレイ等の表示手段を両方設けるようにしてもよいし、さらに表示手段、アンテナ、スピーカが統合された質問器を設けるようにしてもよい。この質問器は、ドアの横の目の高さくらいに設けるのが好適である。この場合、忘れ物があると、スピーカより警告音が鳴り、表示手段には忘れた物品名が表示される。
【０１７５】
（４）識別情報等のバリエーション
上記実施形態では、グループ化情報として関連付けられた全メインＩＤを無線タグ回路素子Ｔoに対し書き込むようにしたが、これに限られず、例えばグループ名等の識別子のみを書き込むようにしておき、読み取る際に、ＣＰＵ１２１によりその識別子とメモリ１２３等に予め記憶されたグループ化情報データ（上記識別子とグループ化されたメインＩＤとを対応させたデータ）とを照合することにより、グループ化情報を認識するようにしてもよい。これにより、無線タグ回路素子Ｔo側のメモリ容量を節約することができる。なお、以上はグループ化情報以外の情報であるメインＩＤ等についても同様である。
【０１７６】
また、上記実施形態においては特に説明はしなかったが、各持ち物の無線タグ回路素子Ｔoのメモリ部１５５に記憶させる識別のためのメインＩＤは、そのＩＤ情報を全部書き込むようにしてもよいし、ＩＤ情報のうち一部のみ記憶させるようにしてもよい。一部のみを記憶させる場合には、例えばＩＤ情報のビット数が多い場合、又は複数のＩＤ情報がほとんど共通で数ビットだけ異なるような場合等に、無線タグ回路素子Ｔo側のメモリ容量を節約することができる。なお、以上はメインＩＤ以外の書き込み情報であるサブＩＤ、履歴情報、グループ化情報等についても同様である。
【０１７７】
また、上記実施形態では、持ち主識別情報としてサブＩＤを記憶させるようにしたが、これに限られず、例えば直接利用者の名称を記憶させるようにしてもよい。
【０１７８】
（５）他分野への適用等
以上においては、家庭における持ち物の管理システムについて本発明を適用した場合を例にとって説明したが、これに限られず、他の分野に適用してもよい。例えば、スーパーマーケット等の小売店のショッピングカート等に本システムを設置し、購入品目の頻度をカウントしてグループ化（例えば特定の料理献立のために同じパターンで購入される食材等）しておき、それ以降、買い忘れ（欠品）が存在したら報知するようにすることが考えられる。その他、例えば工場の材料搬入口に本システムを設置しておき、搬入材料の欠品を検出する場合や、小売店の商品搬入口に本システムを設置しておき、仕入れ商品の欠品を検出する場合等も考えられる。
【０１７９】
また、上記では頻度情報検出を一日単位としたが、これに限られず、これより長い数日単位、数週間単位、一ヶ月単位、一年単位等とすることもできる。また逆に、上記より短い、半日単位、数時間単位、一時間単位、数十分単位、数分単位、数十秒単位等とすることもできる。この場合、本システムを小型化して例えば上記バッグ１６の中に構築する（無線タグ情報通信装置１００の通信機能やデータベース機能を携帯電話機や携帯パソコンに持たせる）ことにより、外出先でもバッグ１６内の物品を短いサイクルで検出することができる。この場合、どこかでいずれかの物品を置き忘れた、落とした、盗難にあった等の場合に、その欠品状態を検知して報知することができるので、さらに利便性を向上できる。
【図面の簡単な説明】
【０１８０】
【図１】本発明の無線タグ情報システムの一実施形態である持ち物管理システムを適用した家の玄関構造を概念的に表す図である。
【図２】本実施形態の持ち物管理システムの全体構成を表わす概念図である。
【図３】本実施形態の持ち物管理システムに備えられ、持ち物に添付された無線タグに備えられた無線タグ回路素子の機能的構成の一例を表すブロック図である。
【図４】本実施形態の持ち物管理システムに備えられる制御部の機能的構成の詳細を表す機能ブロック図である。
【図５】本実施形態の持ち物管理システムに備えられる制御部が有するタグ通信制御部の詳細機能構成を表す機能ブロック図である。
【図６】本実施形態の持ち物管理システムが有する無線タグに備えられた無線タグ回路素子のメモリ部に記憶されたデータ内容を概念的に表す図である。
【図７】利用者による持ち物の持ち出し挙動の一例を説明するための、無線タグ回路素子のメモリ部に記憶されたデータ内容を概念的に表す図である。
【図８】利用者による持ち物の持ち出し挙動の一例を説明するための、無線タグ回路素子のメモリ部に記憶されたデータ内容を概念的に表す図である。
【図９】利用者による持ち物の持ち出し挙動の一例を説明するための、無線タグ回路素子のメモリ部に記憶されたデータ内容を概念的に表す図である。
【図１０】利用者による持ち物の持ち出し挙動の一例を説明するための、無線タグ回路素子のメモリ部に記憶されたデータ内容を概念的に表す図である。
【図１１】履歴情報が全て書き込まれたことによって、制御部のＣＰＵによりグループ化書き込み処理が行われ、その結果グループ化情報が書き込まれた状態を表す図である。
【図１２】グループ化情報を用いて照合処理を行うことにより忘れ物（又は紛失物等）を検出して報知することを説明するための図である。
【図１３】複数の利用者がいる場合の無線タグ回路素子に記憶されたデータ内容の一例を示す図である。
【図１４】本実施形態の持ち物管理システムに備えられる制御部のＣＰＵにより行われる制御手順を表すフローチャートである。
【図１５】図１４のステップＳ７０又はステップＳ１１０のグループ化照合処理の詳細手順を表すフローチャートである。
【図１６】図１４のステップＳ８０又はステップＳ１２０のグループ化書き込み処理の詳細手順を表すフローチャートである。
【図１７】本人認証を行う変形例における持ち物管理システムを適用した家の玄関構造を概念的に表す図である。
【図１８】本人認証を行う変形例における持ち物管理システムの全体構成を表わす概念図である。
【図１９】本人認証を行う変形例における持ち物管理システムに備えられる制御部の機能的構成の詳細を表す機能ブロック図である。
【図２０】設置箇所を玄関ドアとする変形例における持ち物管理システムを適用した家の玄関構造を概念的に表す図である。
【符号の説明】
【０１８１】
１１５      スピーカ（報知手段）
１２１      ＣＰＵ（情報取得手段、情報書込み手段、無線タグ情報通信装置、群化処理手段、記憶処理手段、照合処理手段）
１２４      タグ通信制御部（情報取得手段、情報書込み手段、無線タグ情報通信装置、記憶処理手段）
１３０      アンテナ（無線タグ情報通信装置、通信装置側アンテナ）
１５０      ＩＣ回路部
１５１      アンテナ（タグ側アンテナ）
Ｔo         無線タグ回路素子
【図１】
0004730528.tif 000002
【図２】
0004730528.tif 000003
【図３】
0004730528.tif 000004
【図４】
0004730528.tif 000005
【図５】
0004730528.tif 000006
【図６】
0004730528.tif 000007
【図７】
0004730528.tif 000008
【図８】
0004730528.tif 000009
【図９】
0004730528.tif 000010
【図１０】
0004730528.tif 000011
【図１１】
0004730528.tif 000012
【図１２】
0004730528.tif 000013
【図１３】
0004730528.tif 000014
【図１４】
0004730528.tif 000015
【図１５】
0004730528.tif 000016
【図１６】
0004730528.tif 000017
【図１７】
0004730528.tif 000018
【図１８】
0004730528.tif 000019
【図１９】
0004730528.tif 000020
【図２０】
0004730528.tif 000021